(57)【要約】  【課題】クライアント独自の解析条件に基づく解析を代行させることが可能な情報収集解析代行方法及び解析サーバ、情報収集解析代行システム装置並びに処理プログラムの提供。  【解決手段】Ｗｅｂサーバ１ａ，１ｂ，・・・と、クライアント端末２と、Ｗｅｂサーバ１ａ，１ｂ，・・・からコンテンツを収集して記事を抽出蓄積する収集サーバ３ａと、解析サーバ４ａとを有する情報収集解析代行システム装置βであって、解析サーバ４ａに、クライアント端末２から事前に第１の解析条件を設定されて、収集サーバ３ａから記事を取得して第１の解析条件に基づき第１の解析結果を作成する情報解析モジュール４１ａと、情報解析モジュール４１ａから第１の解析結果を取得するとともに、クライアント端末２から事前に第２の解析条件が設定されて、第２の解析条件に基づき第２の解析結果を作成する追加解析モジュール４２ａと、を具備する特徴的構成手段の採用。  【選択図】図１
2005038341.tif 000002
【特許請求の範囲】
【請求項１】
ネットワークを介してコンテンツを公開する１以上のＷｅｂサーバに収集サーバがアクセスし当該コンテンツを収集して当該コンテンツに含まれる記事を抽出蓄積した後、クライアント端末から設定された解析条件に基づいて当該収集サーバにて蓄積する前記記事から解析サーバが解析を行い、当該解析の解析結果を当該クライアント端末に返信する情報収集解析代行方法であって、
前記収集サーバは、
まず、前記ネットワークを介して接続された前記Ｗｅｂサーバに対して前記コンテンツの取得要求を通知し、
次いで、折り返し当該Ｗｅｂサーバから当該コンテンツを取得し、
引続き、当該コンテンツから記事を抽出して収集蓄積しておき、
一方、前記解析サーバは、
前記クライアント端末から第１の解析条件と第２の解析条件とを設定されると、
まず、前記収集サーバにて蓄積する前記記事に対して、前記第１の解析条件に基づき情報解析を行い、その結果を第１の解析結果とし、
次に、前記記事と当該第１の解析結果とに対して、前記第２の解析条件に基づき追加解析を行い、その結果を第２の解析結果とし、
引続いて、当該第２の解析結果を当該クライアント端末に通知する、
ことを特徴とする情報収集解析代行方法。
【請求項２】
前記第２の解析条件の設定は、
前記解析サーバにおいて、
前記クライアント端末から、当該第２の解析条件として、当該クライアント端末が保持する解析データと、当該クライアント端末により作成された解析ルールとを受信して、
前記記事と前記第１の解析結果のデータに対して、当該解析データを加えて前記追加解析を行うための当該解析ルールが設定される、
ことを特徴とする請求項１に記載の情報収集解析代行方法。
【請求項３】
前記解析サーバは、
前記クライアント端末ごとに、当該クライアント端末を一意に特定するためのクライアントＩＤを付与して、
前記クライアントＩＤにて特定される前記クライアント端末に対して、当該クライアント端末により設定された前記第１の解析条件と前記第２の解析条件とを当該クライアントＩＤに基づき対応させて前記情報解析と前記追加解析とを行い、
当該追加解析して求めた前記第２の解析結果を、当該クライアントＩＤにて特定される当該クライアント端末に通知する、
ことを特徴とする請求項１又は２に記載の情報収集解析代行方法。
【請求項４】
前記解析サーバは、
前記第１の解析条件が設定された後に、
まず、前記収集サーバに対して前記記事の取得要求を通知して、
次いで、折り返し当該収集サーバから当該記事を受信し前記第１の解析条件に基づく前記情報解析を行い、
さらに、前記第２の解析条件が設定された後には、
再度、前記収集サーバに対して前記記事の取得要求を通知して、
引続き、折り返し当該収集サーバから当該記事を受信し前記第２の解析条件に基づく前記追加解析を行う、
ことを特徴とする請求項１、２又は３に記載の情報収集解析代行方法。
【請求項５】
前記解析サーバは、
前記収集サーバに収集蓄積された前記記事に対して、当該記事の記事内容、公開日時、発信者のうちの１以上に基づき、前記情報解析と前記追加解析とを行う、
ことを特徴とする請求項１、２、３又は４に記載の情報収集解析代行方法。
【請求項６】
前記解析サーバは、
前記クライアント端末から前記第２の解析条件が設定されると、
当該第２の解析条件中に含まれた前記解析ルールを用いた前記追加解析を行うための解析所要時間を計測して保持し、
続いて、当該クライアント端末に前記第２の解析結果を通知する際に、
当該第２の解析結果を構成する解析結果データ量を計測して保持し、
当該クライアント端末に、当該解析所要時間と当該解析結果データ量とに基づき代行料金を計算して通知する、
ことを特徴とする請求項２、３、４又は５に記載の情報収集解析代行方法。
【請求項７】
ネットワークを介してコンテンツを公開する１以上のＷｅｂサーバから前記コンテンツを収集して当該コンテンツに含まれる記事を抽出蓄積する収集サーバにアクセスして、クライアント端末から設定された解析条件に基づき当該収集サーバにて蓄積する前記記事から解析を行い、当該解析の結果を当該クライアント端末に返信する解析サーバであって、
前記クライアント端末から事前に第１の解析条件を設定されて、前記収集サーバから前記記事を取得して当該記事に対し当該第１の解析条件に基づき情報解析を行って第１の解析結果を作成する情報解析モジュールと、
前記情報解析モジュールから当該第１の解析結果を取得するとともに、前記クライアント端末から事前に第２の解析条件を設定されて、当該第１の解析結果と前記記事とに対し当該第２の解析条件に基づき追加解析を行って第２の解析結果を作成し当該クライアント端末に通知する追加解析モジュールと、を有する、
ことを特徴とする解析サーバ。
【請求項８】
前記追加解析モジュールは、
前記クライアント端末にて保持する解析データと、当該クライアント端末により作成された解析ルールとを含んでなる前記第２の解析条件を設定されて、前記記事と前記第１の解析結果と当該解析データとに対して当該解析ルールを適用して前記追加解析を行うように機能構成する、
ことを特徴とする請求項７に記載の解析サーバ。
【請求項９】
前記解析サーバは、
前記情報解析モジュールを、前記第１の解析条件が前記クライアント端末から通知された際に、当該クライアント端末に対して一意に特定可能なクライアントＩＤを付与して、当該クライアントＩＤと当該第１の解析条件に基づき前記情報解析して求めた前記第１の解析結果とを前記追加解析モジュールに通知可能に機能構成するとともに、
前記追加解析モジュールを、前記情報解析モジュールから通知された前記第１の解析結果と、同時に通知された前記クライアントＩＤにて特定される前記クライアント端末により設定された前記第２の解析条件とを対応させて前記追加解析して作成した第２の解析結果を当該クライアント端末に通知可能に機能構成する、
ことを特徴とする請求項７又は８に記載の解析サーバ。
【請求項１０】
前記解析サーバは、
前記情報解析モジュールを、前記クライアント端末から前記第１の解析条件が設定された後に、前記収集サーバに対して前記記事の取得要求を通知して、折り返し当該収集サーバから当該記事を受信して当該記事を用いた前記第１の解析条件に基づく前記情報解析を実行可能に機能構成するとともに、
前記追加解析モジュールを、前記クライアント端末から前記第２の解析条件が設定された後に、前記収集サーバに対して前記記事の取得要求を通知して、折り返し当該収集サーバから当該記事を受信して当該記事を用いた前記第２の解析条件に基づく前記追加解析を実行可能に機能構成する、
ことを特徴とする請求項７、８又は９に記載の解析サーバ。
【請求項１１】
前記情報解析モジュールと前記追加解析モジュールは、
前記収集サーバに収集蓄積された前記記事に対して、当該記事の記事内容、公開日時、発信者のうちの１以上に基づき、前記情報解析と前記追加解析とを実行可能に機能構成する、
ことを特徴とする請求項７、８、９又は１０に記載の解析サーバ。
【請求項１２】
前記追加解析モジュールは、
前記クライアント端末により前記第２の解析条件が設定されたときに、当該第２の解析条件中に含まれた前記解析ルールを用いた前記追加解析を行うための解析所要時間と、作成した前記第２の解析結果を構成する解析結果データ量とを計測して保持し、当該クライアント端末に当該解析所要時間と当該解析結果データ量とに基づき計算した代行料金を通知可能に機能構成する、
ことを特徴とする請求項８、９、１０又は１１に記載の解析サーバ。
【請求項１３】
ネットワークを介してコンテンツを公開する１以上のＷｅｂサーバと、当該ネットワークに接続されたクライアント端末と、当該Ｗｅｂサーバにアクセスし前記コンテンツを収集して当該コンテンツに含まれる記事を抽出蓄積する収集サーバと、前記クライアント端末から設定された解析条件に基づいて当該収集サーバにて蓄積する前記記事から解析を行い、当該解析の解析結果を当該クライアント端末に返信する解析サーバとを有する情報収集解析代行システム装置であって、
前記解析サーバは、
請求項７、８、９、１０、１１又は１２に記載の解析サーバである、
ことを特徴とする情報収集解析代行システム装置。
【請求項１４】
前記収集サーバは、
前記Ｗｅｂサーバにて公開される前記コンテンツから、少なくとも当該コンテンツに含まれる記事内容と、当該記事内容の公開日時と、当該記事内容の発信者を識別する文字列の情報とを前記記事として抽出蓄積する情報収集モジュールを具備する、
ことを特徴とする請求項１３に記載の情報収集解析代行システム装置。
【請求項１５】
ネットワークを介してコンテンツを公開する１以上のＷｅｂサーバにアクセスし当該コンテンツを収集して当該コンテンツに含まれる記事を抽出蓄積する収集サーバと、クライアント端末から設定された解析条件に基づいて前記収集サーバにて蓄積する前記記事から解析を行い、当該解析の解析結果を当該クライアント端末に返信する解析サーバとに備わるコンピュータに導入して実行される情報収集解析代行処理プログラムであって、
前記収集サーバにおいて、
ネットワークを介して接続された前記Ｗｅｂサーバに対して前記コンテンツの取得要求を通知する処理手順と、
折り返し当該Ｗｅｂサーバから当該コンテンツを取得する処理手順と、
当該コンテンツから記事を抽出して収集蓄積する処理手順とを順次実行させて行き、
一方、前記解析サーバにおいて、
予め、前記クライアント端末から第１の解析条件と第２の解析条件とを設定される処理手順を実行させて、
その後、前記収集サーバにて蓄積する前記記事に対して、前記第１の解析条件に基づき第１の解析結果を作成する情報解析処理手順と、
前記記事と当該第１の解析結果とに対して、前記第２の解析条件に基づき第２の解析結果を作成する追加解析処理手順と、
当該第２の解析結果を当該クライアント端末に通知する処理手順とを順次実行させる、
ことを特徴とする情報収集解析代行処理プログラム。
【請求項１６】
前記第２の解析条件を設定される処理手順は、
前記クライアント端末から、前記第２の解析条件として、当該クライアント端末が保持する解析データと、当該クライアント端末により作成された解析ルールとを受信する処理手順を実行させ、
前記追加解析処理手順は、
前記記事と前記第１の解析結果に対して、前記解析データを加えた前記追加解析を行う処理手順を実行させる、
ことを特徴とする請求項１５に記載の情報収集解析代行処理プログラム。
【請求項１７】
前記第２の解析結果を前記クライアント端末に通知する処理手順は、
予め、前記クライアント端末ごとに、当該クライアント端末を一意に特定するためのクライアントＩＤを付与する処理手順と、
前記クライアントＩＤにて特定される前記クライアント端末に対して、当該クライアント端末により設定された前記第１の解析条件と前記第２の解析条件とを当該クライアントＩＤに基づき対応させた前記情報解析処理手順と前記追加解析処理手順とを順次実行させて、
前記追加解析処理手順により作成した前記第２の解析結果を、当該クライアントＩＤにて特定される当該クライアント端末に通知する処理手順を実行させる、
ことを特徴とする請求項１５又は１６に記載の情報収集解析代行処理プログラム。
【請求項１８】
前記第１の解析条件と前記第２の解析条件とを設定される処理手順は、
当該第１の解析条件が設定される処理手順の後に、前記収集サーバに対して前記記事の取得要求を行う処理手順と、
折り返し当該収集サーバから当該記事を受信する処理手順を順次実行させ、
一方、当該第２の解析条件が設定される処理手順の後には、
再度、前記収集サーバに対して前記記事の取得要求を行う処理手順を実行させて、
折り返し当該収集サーバから当該記事を受信する処理手順を順次実行させる、
ことを特徴とする請求項１５、１６又は１７に記載の情報収集解析代行処理プログラム。
【請求項１９】
前記情報解析処理手順と前記追加解析処理手順は、
前記収集サーバに収集蓄積された前記記事に対して、当該記事の記事内容、公開日時、発信者のうちの１以上を用いた解析処理手順を実行させる、
ことを特徴とする請求項１５、１６、１７又は１８に記載の情報収集解析代行処理プログラム。
【請求項２０】
前記追加解析処理手順は、
まず、前記クライアント端末から前記第２の解析条件を設定される処理手順と、
次いで、当該第２の解析条件中に含まれた前記解析ルールを用いた前記追加解析処理を実行させる解析所要時間を計測して保持する処理手順と、
引続き、当該クライアント端末に前記第２の解析結果を通知する処理手順における、
当該第２の解析結果を構成する解析結果データ量を計測して保持する処理手順と、
さらに、当該クライアント端末に、当該解析所要時間と当該解析結果データ量とに基づき代行料金を計算して通知する処理手順とを順次実行させる、
ことを特徴とする請求項１６、１７、１８又は１９に記載の情報収集解析代行処理プログラム。
【発明の詳細な説明】
【技術分野】
【０００１】
本発明は、情報収集解析代行方法及び解析サーバ、情報収集解析代行システム装置並びに処理プログラムに関し、詳しくは、ネットワークを介してコンテンツを公開する１以上のＷｅｂサーバにアクセスし前記コンテンツを収集して当該コンテンツに含まれる記事を抽出蓄積する収集サーバと、クライアント端末から設定された解析条件に基づいて前記収集サーバにて蓄積する前記記事から解析を行い、当該解析の解析結果を当該クライアント端末に返信する解析サーバとを有する情報収集解析代行システム装置に適用される情報収集解析代行方法、及びその実施に直接使用する解析サーバ、情報収集解析代行システム装置、並びに情報収集解析代行方法の実施に際し情報収集解析代行システム装置に導入して使用される情報収集解析代行処理プログラムに係わる。
【背景技術】
【０００２】
従来、Ｗｅｂサーバが蓄積してインターネットを介して公開されるコンテンツに含まれるニュースや掲示板等の記事について解析を行う場合において、インターネットに接続されたクライアント端末からキーワードを指定して、このキーワードに基づきＷＷＷ（Ｗｏｒｌｄ  Ｗｉｄｅ  Ｗｅｂ）サーバが各コンテンツ中に存在する単語とキーワードマッチングを行うことで、クライアント端末が必要とする記事を特定してこのクライアント端末に提供するようにしていた。
【０００３】
ここで、検索エンジンにおけるキーワードマッチングでは、このキーワードマッチングの結果による各集合から、各集合間の重複を除去した和集合を求め、コンテンツの公開されるＵＲＬ（Ｕｎｉｆｏｒｍ  Ｒｅｓｏｕｒｃｅ  Ｌｏｃａｔｏｒ）とコンテンツの更新日時をクライアント端末に提示するようにしていた。
【０００４】
図８は、従来の情報収集解析代行サービスに適用される情報収集解析代行システム装置の構築図である。同図に示すように、従来の情報収集解析代行システム装置αは、ネットワークＮを介してそれぞれ接続されるコンテンツを公開する複数のＷｅｂサーバ１ａ，１ｂ，・・・と、クライアント端末２と、Ｗｅｂサーバ１ａ，１ｂ，・・・からコンテンツを収集する収集サーバ３と、クライアント端末２から設定された解析条件に基づき収集サーバ３にて蓄積する記事について解析を行いその解析結果をクライアント端末２に通知する解析サーバ４とを有して構築される。
【０００５】
ここで、Ｗｅｂサーバ１群は、ネットワークＮを介してコンテンツを公開するために、このコンテンツ内容を随時更新可能に蓄積して、ネットワークＮを介して当該コンテンツの取得要求を受信したときには、当該コンテンツを返信可能に構成されている。
【０００６】
また、収集サーバ３と解析サーバ４とは、相互に直接接続されてもよく、収集サーバ３は、Ｗｅｂサーバ１ａ，１ｂ，・・・にネットワークＮを介してアクセスして、公開されるコンテンツを収集し、また、このコンテンツに含まれる記事を抽出して蓄積する情報収集モジュール３１を有する。
【０００７】
解析サーバ４は、クライアント端末２から設定された解析条件を保持して、情報収集モジュール３１にて蓄積された記事に対して、形態素解析処理を行い、記事中に含まれる単語を抽出し、前記解析条件の例えばキーワードと当該記事中の単語とのキーワードマッチングを行い、キーワードに関連する記事を特定してクライアント端末２に返信する情報解析モジュール４１を有する。
【０００８】
以上のように構築された従来の情報収集解析代行システム装置αにおいて、ネットワークＮを介してクライアント端末２により設定された解析条件に基づき情報収集および解析処理の代行を行うときの動作は以下のようになる。
図９は、図８に示した従来の情報収集解析代行システム装置αの一動作例を説明するためのシーケンス図である。
【０００９】
同図に示すように、まず、収集サーバ３の情報収集モジュール３１からＷｅｂサーバ１ａ，１ｂ，・・・に対して、コンテンツの取得要求が為された（ＳＴ１）場合を想定する。Ｗｅｂサーバ１は、このコンテンツの取得要求に対して折り返し情報収集モジュール３１に向けて蓄積するコンテンツを送信して（ＳＴ２）、情報収集モジュール３１では、この送信されたコンテンツから例えば、記事のみを抽出して蓄積する（ＳＴ３）。
【００１０】
一方、クライアント端末２から解析サーバ４の情報解析モジュール４１に対して、例えば、キーワード等の解析条件が通知されて設定された（ＳＴ４）場合に、情報解析モジュール４１は、収集サーバ３の情報収集モジュール３１に対して記事の取得要求を行い（ＳＴ５）、折り返し情報収集モジュール３１から情報解析モジュール４１に向けて記事が送信される（ＳＴ６）。
【００１１】
その後、情報解析モジュール４１において、例えば記事内に含まれる単語と、クライアント端末２によって設定されたキーワードとでキーワードマッチングを行うことにより情報解析を行い（ＳＴ７）、ここで作成した解析結果をクライアント端末２に通知する（ＳＴ８）。
【００１２】
以上の結果、従来の情報収集解析代行システム装置αによれば、クライアント端末２を使用するユーザの希望により、予め解析サーバ４に解析条件を設定しておくことで、Ｗｅｂサーバ１ａ，１ｂ，・・・にて公開されるコンテンツに含まれる記事についての情報の収集と解析を代行させることが可能となる。
【００１３】
なお、上記従来の情報収集解析代行サービスの詳細については、下記の特許文献１に記載されている。
【特許文献１】特開２００１−３２５２７５号公報
【発明の開示】
【発明が解決しようとする課題】
【００１４】
ところで、従来の情報収集解析代行システム装置αでは、情報解析（ＳＴ７）で使用するクライアント端末２にて設定される解析条件は、収集サーバ３又は解析サーバ４において予め規格化されて、アクセスする全てのクライアント端末２において共通のルールとして利用されるように実装されたものであり、クライアント端末２による解析条件のカスタマイズはキーワード等のルールで使用するパラメータのみが指定可能なものであった。
【００１５】
そのため、クライアント端末２において解析を行う際に利用可能な解析対象は、収集サーバ３において収集されて、解析サーバ４の解析結果であるキーワード等で絞り込まれた記事の部分集合であり、クライアント端末２が独自に備えたデータをも用いて解析を行い、解析サーバ４にて解析された解析結果との比較等の複雑な解析を行うことが不可能であった。
【００１６】
ここにおいて、本発明の解決すべき主要な目的は、次のとおりである。
即ち、本発明の第１の目的は、ネットワークを介した情報の収集及び解析を行うにあたり、クライアント端末にてクライアント独自の解析条件に基づく解析を代行させることが可能な情報収集解析代行方法及び解析サーバ、情報収集解析代行システム装置並びに処理プログラムを提供せんとするものである。
【００１７】
本発明の第２の目的は、収集サーバにて収集する記事に加えて、クライアント端末にて保持する独自のデータを解析対象データとして情報の収集及び解析を代行させることが可能な情報収集解析代行方法及び解析サーバ、情報収集解析代行システム装置並びに処理プログラムを提供せんとするものである。
【００１８】
本発明の第３の目的は、クライアント端末にて設定された解析条件に基づき情報の収集及び解析を代行するにあたり、解析サーバからクライアント端末に対して代行処理により発生する料金を請求することが可能な情報収集解析代行方法及び解析サーバ、情報収集解析代行システム装置並びに処理プログラムを提供せんとするものである。
【００１９】
本発明の目的は、明細書、図面、特に特許請求の範囲の各請求項の記載から、自ずと明らかになろう。
【課題を解決するための手段】
【００２０】
まず、本発明方法においては、収集サーバは、まず、ネットワークを介して接続されたＷｅｂサーバに対してコンテンツの取得要求を通知し、次いで、折り返し当該Ｗｅｂサーバから当該コンテンツを取得し、引続き、当該コンテンツから記事を抽出して収集蓄積しておき、一方、解析サーバは、クライアント端末から第１の解析条件と第２の解析条件とを設定されると、まず、収集サーバにて蓄積する記事に対して、第１の解析条件に基づき情報解析を行い、その結果を第１の解析結果とし、次に、記事と当該第１の解析結果とに対して、第２の解析条件に基づき追加解析を行い、その結果を第２の解析結果とし、引続いて、当該第２の解析結果を当該クライアント端末に通知する、という特徴的構成手法を講じる。
【００２１】
一方、本発明解析サーバにおいては、クライアント端末から事前に第１の解析条件を設定されて、収集サーバから記事を取得して当該記事に対し当該第１の解析条件に基づき情報解析を行って第１の解析結果を作成する情報解析モジュールと、情報解析モジュールから当該第１の解析結果を取得するとともに、クライアント端末から事前に第２の解析条件を設定されて、当該第１の解析結果と記事とに対し当該第２の解析条件に基づき追加解析を行って第２の解析結果を作成し当該クライアント端末に通知する追加解析モジュールと、を有する、という特徴的構成手段を講じる。
【００２２】
また、本発明システム装置においては、ネットワークを介してコンテンツを公開する１以上のＷｅｂサーバと、当該ネットワークに接続されたクライアント端末と、当該Ｗｅｂサーバにアクセスしコンテンツを収集して当該コンテンツに含まれる記事を抽出蓄積する収集サーバと、クライアント端末から設定された解析条件に基づいて当該収集サーバにて蓄積する記事から解析を行い、当該解析の解析結果を当該クライアント端末に返信する解析サーバとを有する情報収集解析代行システム装置であって、当該解析サーバに、本発明解析サーバを採用する、という特徴的構成手段を講じる。
【００２３】
他方、本発明プログラムにおいては、収集サーバでは、ネットワークを介して接続されたＷｅｂサーバに対してコンテンツの取得要求を通知する処理手順と、折り返し当該Ｗｅｂサーバから当該コンテンツを取得する処理手順と、当該コンテンツから記事を抽出して収集蓄積する処理手順とを順次実行させて行き、一方、解析サーバでは、予め、クライアント端末から第１の解析条件と第２の解析条件とを設定される処理手順を実行させて、その後、収集サーバにて蓄積する記事に対して、第１の解析条件に基づき第１の解析結果を作成する情報解析処理手順と、記事と当該第１の解析結果とに対して、第２の解析条件に基づき第２の解析結果を作成する追加解析処理手順と、当該第２の解析結果を当該クライアント端末に通知する処理手順とを順次実行させる、という特徴的構成手順を講じる。
【００２４】
さらに、具体的詳細に述べると、当該課題の解決では、本発明が次に列挙する上位概念から下位概念に亙る新規な特徴的構成手法、手段、又は手順を採用することにより、前記目的を達成するよう為される。
【００２５】
即ち、本発明方法の第１の特徴は、ネットワークを介してコンテンツを公開する１以上のＷｅｂサーバに収集サーバがアクセスし当該コンテンツを収集して当該コンテンツに含まれる記事を抽出蓄積した後、クライアント端末から設定された解析条件に基づいて当該収集サーバにて蓄積する前記記事から解析サーバが解析を行い、当該解析の解析結果を当該クライアント端末に返信する情報収集解析代行方法であって、前記収集サーバは、まず、前記ネットワークを介して接続された前記Ｗｅｂサーバに対して前記コンテンツの取得要求を通知し、次いで、折り返し当該Ｗｅｂサーバから当該コンテンツを取得し、引続き、当該コンテンツから記事を抽出して収集蓄積しておき、一方、前記解析サーバは、前記クライアント端末から第１の解析条件と第２の解析条件とを設定されると、まず、前記収集サーバにて蓄積する前記記事に対して、前記第１の解析条件に基づき情報解析を行い、その結果を第１の解析結果とし、次に、前記記事と当該第１の解析結果とに対して、前記第２の解析条件に基づき追加解析を行い、その結果を第２の解析結果とし、引続いて、当該第２の解析結果を当該クライアント端末に通知してなる、情報収集解析代行方法の構成採用にある。
【００２６】
本発明方法の第２の特徴は、上記本発明方法の第１の特徴における前記第２の解析条件の設定を、前記解析サーバにおいて、前記クライアント端末から、当該第２の解析条件として、当該クライアント端末が保持する解析データと、当該クライアント端末により作成された解析ルールとを受信して、前記記事と前記第１の解析結果のデータに対して、当該解析データを加えて前記追加解析を行うための当該解析ルールが設定されてなる、情報収集解析代行方法の構成採用にある。
【００２７】
本発明方法の第３の特徴は、上記本発明方法の第１又は第２の特徴における前記解析サーバが、前記クライアント端末ごとに、当該クライアント端末を一意に特定するためのクライアントＩＤを付与して、前記クライアントＩＤにて特定される前記クライアント端末に対して、当該クライアント端末により設定された前記第１の解析条件と前記第２の解析条件とを当該クライアントＩＤに基づき対応させて前記情報解析と前記追加解析とを行い、当該追加解析して求めた前記第２の解析結果を、当該クライアントＩＤにて特定される当該クライアント端末に通知してなる、情報収集解析代行方法の構成採用にある。
【００２８】
本発明方法の第４の特徴は、上記本発明方法の第１、第２又は第３の特徴における前記解析サーバが、前記第１の解析条件が設定された後に、まず、前記収集サーバに対して前記記事の取得要求を通知して、次いで、折り返し当該収集サーバから当該記事を受信し前記第１の解析条件に基づく前記情報解析を行い、さらに、前記第２の解析条件が設定された後には、再度、前記収集サーバに対して前記記事の取得要求を通知して、引続き、折り返し当該収集サーバから当該記事を受信し前記第２の解析条件に基づく前記追加解析を行ってなる、情報収集解析代行方法の構成採用にある。
【００２９】
本発明方法の第５の特徴は、上記本発明方法の第１、第２、第３又は第４の特徴における前記解析サーバが、前記収集サーバに収集蓄積された前記記事に対して、当該記事の記事内容、公開日時、発信者のうちの１以上に基づき、前記情報解析と前記追加解析とを行ってなる、情報収集解析代行方法の構成採用にある。
【００３０】
本発明方法の第６の特徴は、上記本発明方法の第２、第３、第４又は第５の特徴における前記解析サーバが、前記クライアント端末から前記第２の解析条件が設定されると、当該第２の解析条件中に含まれた前記解析ルールを用いた前記追加解析を行うための解析所要時間を計測して保持し、続いて、当該クライアント端末に前記第２の解析結果を通知する際に、当該第２の解析結果を構成する解析結果データ量を計測して保持し、当該クライアント端末に、当該解析所要時間と当該解析結果データ量とに基づき代行料金を計算して通知してなる、情報収集解析代行方法の構成採用にある。
【００３１】
一方、本発明解析サーバの第１の特徴は、ネットワークを介してコンテンツを公開する１以上のＷｅｂサーバから前記コンテンツを収集して当該コンテンツに含まれる記事を抽出蓄積する収集サーバにアクセスして、クライアント端末から設定された解析条件に基づき当該収集サーバにて蓄積する前記記事から解析を行い、当該解析の結果を当該クライアント端末に返信する解析サーバであって、前記クライアント端末から事前に第１の解析条件を設定されて、前記収集サーバから前記記事を取得して当該記事に対し当該第１の解析条件に基づき情報解析を行って第１の解析結果を作成する情報解析モジュールと、前記情報解析モジュールから当該第１の解析結果を取得するとともに、前記クライアント端末から事前に第２の解析条件を設定されて、当該第１の解析結果と前記記事とに対し当該第２の解析条件に基づき追加解析を行って第２の解析結果を作成し当該クライアント端末に通知する追加解析モジュールと、を有してなる、解析サーバの構成採用にある。
【００３２】
本発明解析サーバの第２の特徴は、上記本発明解析サーバの第１の特徴における前記追加解析モジュールを、前記クライアント端末にて保持する解析データと、当該クライアント端末により作成された解析ルールとを含んでなる前記第２の解析条件を設定されて、前記記事と前記第１の解析結果と当該解析データとに対して当該解析ルールを適用して前記追加解析を行うように機能構成してなる、解析サーバの構成採用にある。
【００３３】
本発明解析サーバの第３の特徴は、上記本発明解析サーバの第１又は第２の特徴における前記解析サーバが、前記情報解析モジュールを、前記第１の解析条件が前記クライアント端末から通知された際に、当該クライアント端末に対して一意に特定可能なクライアントＩＤを付与して、当該クライアントＩＤと当該第１の解析条件に基づき前記情報解析して求めた前記第１の解析結果とを前記追加解析モジュールに通知可能に機能構成するとともに、前記追加解析モジュールを、前記情報解析モジュールから通知された前記第１の解析結果と、同時に通知された前記クライアントＩＤにて特定される前記クライアント端末により設定された前記第２の解析条件とを対応させて前記追加解析して作成した第２の解析結果を当該クライアント端末に通知可能に機能構成してなる、解析サーバの構成採用にある。
【００３４】
本発明解析サーバの第４の特徴は、上記本発明解析サーバの第１、第２又は第３の特徴における前記解析サーバが、前記情報解析モジュールを、前記クライアント端末から前記第１の解析条件が設定された後に、前記収集サーバに対して前記記事の取得要求を通知して、折り返し当該収集サーバから当該記事を受信して当該記事を用いた前記第１の解析条件に基づく前記情報解析を実行可能に機能構成するとともに、前記追加解析モジュールを、前記クライアント端末から前記第２の解析条件が設定された後に、前記収集サーバに対して前記記事の取得要求を通知して、折り返し当該収集サーバから当該記事を受信して当該記事を用いた前記第２の解析条件に基づく前記追加解析を実行可能に機能構成してなる、解析サーバの構成採用にある。
【００３５】
本発明解析サーバの第５の特徴は、上記本発明解析サーバの第１、第２、第３又は第４の特徴における前記情報解析モジュールと前記追加解析モジュールを、前記収集サーバに収集蓄積された前記記事に対して、当該記事の記事内容、公開日時、発信者のうちの１以上に基づき、前記情報解析と前記追加解析とを実行可能に機能構成してなる、解析サーバの構成採用にある。
【００３６】
本発明解析サーバの第６の特徴は、上記本発明解析サーバの第２、第３、第４又は第５の特徴における前記追加解析モジュールを、前記クライアント端末により前記第２の解析条件が設定されたときに、当該第２の解析条件中に含まれた前記解析ルールを用いた前記追加解析を行うための解析所要時間と、作成した前記第２の解析結果を構成する解析結果データ量とを計測して保持し、当該クライアント端末に当該解析所要時間と当該解析結果データ量とに基づき計算した代行料金を通知可能に機能構成してなる、解析サーバの構成採用にある。
【００３７】
また、本発明システム装置の第１の特徴は、ネットワークを介してコンテンツを公開する１以上のＷｅｂサーバと、当該ネットワークに接続されたクライアント端末と、当該Ｗｅｂサーバにアクセスし前記コンテンツを収集して当該コンテンツに含まれる記事を抽出蓄積する収集サーバと、前記クライアント端末から設定された解析条件に基づいて当該収集サーバにて蓄積する前記記事から解析を行い、当該解析の解析結果を当該クライアント端末に返信する解析サーバとを有する情報収集解析代行システム装置であって、前記解析サーバが、上記本発明解析サーバの第１、第２、第３、第４、第５又は第６の特徴における解析サーバである、情報収集解析代行システム装置の構成採用にある。
【００３８】
本発明システム装置の第２の特徴は、上記本発明システム装置の第１の特徴における前記収集サーバが、前記Ｗｅｂサーバにて公開される前記コンテンツから、少なくとも当該コンテンツに含まれる記事内容と、当該記事内容の公開日時と、当該記事内容の発信者を識別する文字列の情報とを前記記事として抽出蓄積する情報収集モジュールを具備してなる、情報収集解析代行システム装置の構成採用にある。
【００３９】
他方、本発明プログラムの第１の特徴は、ネットワークを介してコンテンツを公開する１以上のＷｅｂサーバにアクセスし当該コンテンツを収集して当該コンテンツに含まれる記事を抽出蓄積する収集サーバと、クライアント端末から設定された解析条件に基づいて前記収集サーバにて蓄積する前記記事から解析を行い、当該解析の解析結果を当該クライアント端末に返信する解析サーバとに備わるコンピュータに導入して実行される情報収集解析代行処理プログラムであって、前記収集サーバにおいて、ネットワークを介して接続された前記Ｗｅｂサーバに対して前記コンテンツの取得要求を通知する処理手順と、折り返し当該Ｗｅｂサーバから当該コンテンツを取得する処理手順と、当該コンテンツから記事を抽出して収集蓄積する処理手順とを順次実行させて行き、一方、前記解析サーバにおいて、予め、前記クライアント端末から第１の解析条件と第２の解析条件とを設定される処理手順を実行させて、その後、前記収集サーバにて蓄積する前記記事に対して、前記第１の解析条件に基づき第１の解析結果を作成する情報解析処理手順と、前記記事と当該第１の解析結果とに対して、前記第２の解析条件に基づき第２の解析結果を作成する追加解析処理手順と、当該第２の解析結果を当該クライアント端末に通知する処理手順とを順次実行させてなる、情報収集解析保持代行処理プログラムの構成採用にある。
【００４０】
本発明プログラムの第２の特徴は、上記本発明プログラムの第１の特徴における前記第２の解析条件を設定される処理手順が、前記クライアント端末から、前記第２の解析条件として、当該クライアント端末が保持する解析データと、当該クライアント端末により作成された解析ルールとを受信する処理手順を実行させ、前記追加解析処理手順が、前記記事と前記第１の解析結果に対して、前記解析データを加えた前記追加解析を行う処理手順を実行させてなる、情報収集解析代行処理プログラムの構成採用にある。
【００４１】
本発明プログラムの第３の特徴は、上記本発明プログラムの第１又は第２の特徴における前記第２の解析結果を前記クライアント端末に通知する処理手順が、予め、前記クライアント端末ごとに、当該クライアント端末を一意に特定するためのクライアントＩＤを付与する処理手順と、前記クライアントＩＤにて特定される前記クライアント端末に対して、当該クライアント端末により設定された前記第１の解析条件と前記第２の解析条件とを当該クライアントＩＤに基づき対応させた前記情報解析処理手順と前記追加解析処理手順とを順次実行させて、前記追加解析処理手順により作成した前記第２の解析結果を、当該クライアントＩＤにて特定される当該クライアント端末に通知する処理手順を実行させてなる、情報収集解析代行処理プログラムの構成採用にある。
【００４２】
本発明プログラムの第４の特徴は、上記本発明プログラムの第１、第２又は第３の特徴における前記第１の解析条件と前記第２の解析条件とを設定される処理手順が、当該第１の解析条件が設定される処理手順の後に、前記収集サーバに対して前記記事の取得要求を行う処理手順と、折り返し当該収集サーバから当該記事を受信する処理手順を順次実行させ、一方、当該第２の解析条件が設定される処理手順の後には、再度、前記収集サーバに対して前記記事の取得要求を行う処理手順を実行させて、折り返し当該収集サーバから当該記事を受信する処理手順を順次実行させてなる、情報収集解析代行処理プログラムの構成採用にある。
【００４３】
本発明プログラムの第５の特徴は、上記本発明プログラムの第１、第２、第３又は第４の特徴における前記情報解析処理手順と前記追加解析処理手順が、前記収集サーバに収集蓄積された前記記事に対して、当該記事の記事内容、公開日時、発信者のうちの１以上を用いた解析処理手順を実行させてなる、情報収集解析代行処理プログラムの構成採用にある。
【００４４】
本発明プログラムの第６の特徴は、上記本発明プログラムの第２、第３、第４又は第５の特徴における前記追加解析処理手順が、まず、前記クライアント端末から前記第２の解析条件を設定される処理手順と、次いで、当該第２の解析条件中に含まれた前記解析ルールを用いた前記追加解析処理を実行させる解析所要時間を計測して保持する処理手順と、引続き、当該クライアント端末に前記第２の解析結果を通知する処理手順における、当該第２の解析結果を構成する解析結果データ量を計測して保持する処理手順と、さらに、当該クライアント端末に、当該解析所要時間と当該解析結果データ量とに基づき代行料金を計算して通知する処理手順とを順次実行させてなる、情報収集解析代行処理プログラムの構成採用にある。
【発明の効果】
【００４５】
本発明によれば、ネットワークを介して情報の収集及び解析を行うにあたり、クライアント端末にて作成する第１の解析条件と第２の解析条件とに基づき、キーワードマッチングや検索式の例えばＡＮＤ／ＯＲによる解析に限定されないクライアント端末独自の解析条件を用いた情報収集及び解析を行うことが可能となる。
【００４６】
また、情報解析と追加解析とを行うにあたり、収集サーバにて蓄積する記事と解析サーバにて求めた第１の解析結果とに加えて、クライアント端末にて保持する、例えば、外部に公開されないクライアント端末を用いるユーザ独自の解析データをも解析対象データとして用いた解析を解析サーバに代行させて、ネットワーク上にて公開された記事とクライアント端末独自に保持する解析データとを解析対象データとして、各データ同士を比較する等の解析結果を得ることが可能となる。
【００４７】
さらに、収集サーバ及び解析サーバにてクライアント端末から設定された情報解析及び追加解析を代行して行うにあたり、解析サーバから、この情報解析及び追加解析の代行に基づく所定の料金を当該クライアント端末に対して通知することが可能となり、情報収集解析代行サービスをクライアント端末に提供する上で、課金処理を行うことが可能となる。
【発明を実施するための最良の形態】
【００４８】
以下、本発明の実施の形態につき、添付図面を参照しつつ、その装置例及びこれに対応する方法例を順に説明し、これに引続き、それら各方法例を具現化するプログラム例を説明する。なお、本実施形態の説明で用いる各図面には、従来図に示したものと同一又は同等な構成要素につき同一の符号を当てるものとし、当該構成要素の詳細な説明については省略するものとする。
【００４９】
（装置例）
まず、図１は、本発明の装置例に係る情報収集解析代行システム装置の構築をその適用形態と共に示す図である。
【００５０】
同図に示すように、本装置例にかかる情報収集解析代行システム装置βは、ネットワークＮを介してコンテンツを公開する１以上のＷｅｂサーバ１ａ，１ｂ，・・・と、ネットワークＮに接続されたクライアント端末２と、Ｗｅｂサーバ１ａ，１ｂ，・・・にアクセスしコンテンツを収集して当該コンテンツに含まれる記事を抽出蓄積する収集サーバ３ａと、クライアント端末２から設定された解析条件に基づいて収集サーバ３ａにて蓄積する記事から解析を行い、当該解析による解析結果をクライアント端末２に返信する解析サーバ４ａとを有する。
【００５１】
図２は、図１に示した情報収集解析代行システム装置に適用されるデータ例を示す図である。図１とともに、図２を用いて本装置例を詳細に説明する。
【００５２】
まず、収集サーバ３ａは、ネットワークＮを介して接続されたＷｅｂサーバ１ａ，１ｂ，・・・にて公開される、例えば、ホームページや、データベース、ニュース、掲示板、文章等のコンテンツ５１ａ，５１ｂ，・・・から、少なくともコンテンツ５１ａ，５１ｂ，・・・に含まれる記事内容と、当該記事内容の公開日時と、当該記事内容の発信者を識別する文字列の情報とを記事５２ａ，５２ｂ，・・・として抽出蓄積する情報収集モジュール３１ａを具備して、解析サーバ４ａと直接相互に通信可能に接続されても構わない。
【００５３】
一方、解析サーバ４ａは、ネットワークＮと接続されるとともに、収集サーバ３ａと相互に通信可能に直接接続されてもよく、クライアント端末２によって事前に第１の解析条件が設定されて、収集サーバ３ａから記事５２ａ，５２ｂ，・・・を取得して記事５２ａ，５２ｂ，・・・に対し第１の解析条件１０１に基づき情報解析を行って第１の解析結果１１１を作成する情報解析モジュール４１ａを有する。
【００５４】
ここで、第１の解析条件１０１は、予め解析サーバ４ａにて設定される所定の解析条件の実行を指示するものであっても構わず、このとき、情報解析モジュール４１ａは、予め設定された所定の解析条件に基づき情報解析を行う機能手段を具備して、さらに、情報解析モジュール４１ａは、第１の解析結果１１１を蓄積する機能手段と、再度、以前に解析した同じ条件を用いて情報解析を行う際に、蓄積する第１の解析結果１１１から抽出する機能手段を具備してもよい。
【００５５】
また、情報解析モジュール４１ａから第１の解析結果１１１を取得するとともに、クライアント端末２から事前に第２の解析条件２０１が設定されて、第１の解析結果１１１と記事５２ａ，５２ｂ，・・・とに対し第２の解析条件２０１に基づき追加解析を行って第２の解析結果２１１を作成してクライアント端末２に通知する追加解析モジュール４２ａを有する。
【００５６】
ここで、追加解析モジュール４２ａは、クライアント端末２にて保持する解析データ２０２と、クライアント端末２により作成された解析ルール２０３とを含んでなる第２の解析条件２０１を設定されて、記事５２ａ，５２ｂ，・・・と第１の解析結果１１１と解析データ２０２とに対して解析ルール２０３を適用して追加解析を行うように機能構成されるように設定されても構わず、第２の解析条件２０１は、解析データ２０２と解析ルール２０３とによりクライアント端末２が独自にカスタマイズ可能な解析条件となる。
【００５７】
さらに、情報解析モジュール４１ａは、第１の解析条件１０１がクライアント端末２から通知された際に、クライアント端末２に対して一意に特定可能なクライアントＩＤ２１（識別子）を付与して、このクライアントＩＤ２１と、第１の解析条件１０１に基づき情報解析して求めた第１の解析結果１１１とを追加解析モジュール４２ａに通知可能に機能構成する。
【００５８】
このとき、追加解析モジュール４２ａは、情報解析モジュール４１ａから通知された第１の解析結果１１１と、同時に通知されたクライアントＩＤ２１にて特定されるクライアント端末２により設定された第２の解析条件２０１とを対応させて追加解析して作成した第２の解析結果２１１を特定のクライアント端末２に通知可能に機能構成するとよい。
【００５９】
これにより、特定のクライアント端末２にて設定された第１の解析条件１０１と第２の解析条件２０１とに対応する第２の解析結果２１１を同一のクライアント端末２に通知することが可能となり、複数のクライアント端末２からの情報収集解析処理の代行依頼があった際にも解析サーバ４ａにおいて的確にそれぞれのクライアント端末２を識別することが可能となる。
【００６０】
また、情報解析モジュール４１ａは、クライアント端末２から第１の解析条件１０１が設定された後に、収集サーバ３ａに対して記事５２ａ，５２ｂ，・・・の取得要求を通知して、折り返し収集サーバ３ａから記事５２ａ，５２ｂ，・・・を受信して記事５２ａ，５２ｂ，・・・を用いた第１の解析条件１０１に基づく情報解析を実行可能に機能構成する。
【００６１】
一方、追加解析モジュール４２ａは、クライアント端末２から第２の解析条件２０１が設定された後に、収集サーバ３ａに対して記事５２ａ，５２ｂ，・・・の取得要求を通知して、折り返し収集サーバ３ａから記事５２ａ，５２ｂ，・・・を受信して記事５２ａ，５２ｂ，・・・を用いた第２の解析条件２０１に基づく追加解析を実行可能に機能構成するとよい。
【００６２】
図３は、図２に示したコンテンツを説明するための図である。同図に示すように、例えば、コンテンツ５１ａは、Ｗｅｂサーバ１ａにて更新可能に蓄積されて、クライアント端末２にて書き込み可能な記事５２ａ，５２ｂ，５２ｃ等を含むようなニュースや掲示板であっても構わず、複数のクライアント端末２による書き込みにより随時更新可能なものであっても構わない。
【００６３】
同図に示すように構成されたコンテンツ５１ａに対して、情報解析モジュール４１ａと追加解析モジュール４２ａは、収集サーバ３ａに収集蓄積された記事５２ａ，５２ｂ，・・・に対して、記事５２ａ，５２ｂ，・・・それぞれに含まれる例えば、文章中に含まれる単語の配列からなる記事内容５２１、その記事内容５２１の公開日時５２２、記事内容５２１の発信者を識別する文字列５２３のうちの１以上に基づき、情報解析と追加解析とを実行可能に機能構成するとよい。
【００６４】
また、追加解析モジュール４２ａは、クライアント端末２により第２の解析条件２０１が設定されたときに、第２の解析条件２０１中に含まれた解析ルール２０３を用いた追加解析を行うための解析所要時間と、作成した第２の解析結果２１１を構成する解析結果データ量とを計測して保持し、クライアント端末２にこの解析所要時間と解析結果データ量とに基づき計算した代行料金を通知可能に機能構成しても構わない。
【００６５】
（方法例）
続いて、以上のように構成された情報収集解析代行システム装置βにおいて、ネットワークＮを介してコンテンツ５１ａ，５１ｂ，・・・を公開する１以上のＷｅｂサーバ１ａ，１ｂ，・・・にアクセスしコンテンツ５１ａ，５１ｂ，・・・を収集してこのコンテンツ５１ａ，５１ｂ，・・・に含まれる記事５２ａ，５２ｂ，・・・を抽出蓄積する収集サーバ３ａと、クライアント端末２から設定された解析条件に基づいて収集サーバ３ａにて蓄積する記事５２ａ，５２ｂ，・・・から解析を行い、この解析の解析結果をクライアント端末２に返信する解析サーバ４ａとを有する情報収集解析代行システム装置βに適用される情報収集解析代行方法の具体例を説明する。
【００６６】
図４は、本発明の方法例に係る情報収集解析代行方法における記事の収集を説明するためのシーケンス図である。
【００６７】
同図に示すように、本方法例においては、まず、収集サーバ３ａの情報収集モジュール３１ａは、ネットワークＮを介して接続されたＷｅｂサーバ１ａ，１ｂ，・・・に対してコンテンツ５１ａ，５１ｂ，・・・の取得要求を通知し（ＳＴ１ａ）、次いで、折り返しこのＷｅｂサーバ１ａ，１ｂ，・・・からコンテンツ５１ａ，５１ｂ，・・・を取得し（ＳＴ２ａ）、引続き、このコンテンツ５１ａ，５１ｂ，・・・から記事５２ａ，５２ｂ，・・・を抽出して（ＳＴ３ａ）収集蓄積しておく。
【００６８】
ここで、情報収集モジュール３１ａは、予め設定された周期で、記事５２ａ，５２ｂ，・・・の収集蓄積しておくとよい。
【００６９】
次に、図５は、本発明の方法例に係る情報収集解析代行方法における情報解析及び追加解析を説明するためのシーケンス図である。
【００７０】
同図に示すように、本方法例においては、まず、解析サーバ４ａは、クライアント端末２から、情報解析モジュール４１ａには、第１の解析条件１０１が設定される（ＳＴ４ａ）とともに、追加解析モジュール４２ａには、第２の解析条件２０１が設定される（ＳＴ４ｂ）。なお、ＳＴ４ａの第１の解析条件１０１の設定は、予め解析サーバ４ａにて設定される所定の解析条件の実行を指示するものであっても構わない。
【００７１】
次に、情報解析モジュール４１ａは、図４に示したＳＴ１ａ乃至ＳＴ３ａを随時行う収集サーバ３ａの情報収集モジュール３１ａに対して、例えば、記事５２ａ，５２ｂ，・・・の取得要求を通知して（ＳＴ５ａ）、折り返し情報収集モジュール３１ａは情報解析モジュール４１ａに記事５２ａ，５２ｂ，・・・を送信する（ＳＴ６ａ）。
【００７２】
引続き、情報解析モジュール４１ａは、ＳＴ４ａにて設定された第１の解析条件１０１に基づき情報解析を行う（ＳＴ７ａ）ものであるが、この時、情報解析した結果を情報解析モジュール４１ａにて蓄積しておき、再度、同じ条件により情報解析を行う際にはこの結果を抽出することで、情報解析を高速化するようにしてもよく、引続き、この結果を第１の解析結果１１１として追加解析モジュール４２ａに通知する（ＳＴ８ａ）。
【００７３】
続いて、追加解析モジュール４２ａは、ＳＴ４ｂにて設定された第２の解析条件２０１に基づき追加解析を行う（ＳＴ１１ａ）ものであるが、このとき、記事５２ａ，５２ｂ，・・・が必要である場合には、追加解析モジュール４２ａから、情報収集モジュール３１ａに対して再度、記事５２ａ，５２ｂ，・・・の取得要求を通知して（ＳＴ９ａ）、折り返し情報収集モジュール３１ａから追加解析モジュール４２ａに向けて記事５２ａ，５２ｂ，・・・を送信する（ＳＴ１０ａ）ようにしても構わない。
【００７４】
引続き、例えば、記事５２ａ，５２ｂ，・・・と第１の解析結果１１１とに対して、第２の解析条件２０１に基づき追加解析を行い（ＳＴ１１ａ）、その結果を第２の解析結果２１１として、クライアント端末２に通知する（ＳＴ１２ａ）。
【００７５】
ここで、第２の解析条件の設定（ＳＴ４ｂ）は、追加解析モジュール４２ａにおいて、クライアント端末２から、第２の解析条件２０１として、クライアント端末２が保持する解析データ２０２と、クライアント端末２により作成された解析ルール２０３とを受信するようにしてもよく、このとき、追加解析（ＳＴ１１ａ）は、記事５２ａ，５２ｂ，・・・と第１の解析結果１１１のデータに加えて、解析データ２０２に対して解析ルール２０３に基づき追加解析を行うようにするとよい。
【００７６】
また、解析サーバ４ａは、例えば、クライアント端末２から第１の解析条件１０１が設定された（ＳＴ４ａ）ときに、このクライアント端末２を一意に特定するためのクライアントＩＤ２１をクライアント端末２ごとに付与して、このクライアントＩＤ２１にて特定されるクライアント端末２に対して、クライアント端末２により設定された第１の解析条件１０１と第２の解析条件２０１とをクライアントＩＤ２１に基づき対応させて、情報解析（ＳＴ７ａ）と追加解析（ＳＴ１１ａ）を行い、作成した第２の解析結果２１１をこのクライアントＩＤ２１に基づくクライアント端末２に通知する（ＳＴ１２ａ）ようにするとよい。
【００７７】
なお、解析サーバ４ａの情報解析（ＳＴ７ａ）と追加解析（ＳＴ１１ａ）とは、収集サーバ３ａに収集蓄積された記事５２ａ，５２ｂ，・・・に対して、記事５２ａ，５２ｂ，・・・の記事内容、公開日時、発信者のうちの１以上に基づき、例えば、キーワードマッチング等により情報解析と追加解析とを行うようにするとよい。
【００７８】
図６は、図５に示した情報解析を説明するための一実施形態例であり、図７は、図５に示した追加解析を説明するための一実施形態例である。図６及び図７を用いて本方法例における第２の解析条件中に解析データ２０２と解析ルール２０３とが設定された場合の情報解析（ＳＴ７ａ）と追加解析（ＳＴ１１ａ）とを詳細に説明する。
【００７９】
図６に示すとおり、情報解析（ＳＴ７ａ）は、情報解析モジュール４１ａにおいて、クライアント端末２から受信した（ＳＴ４ａ）第１の解析条件１０１の、例えば、「指定された業種における商品名Ａ」に基づきキーワードマッチング等により記事５２ａ，５２ｂ，・・・からその「商品名Ａ」を検索して（ＳＴ７ｂ）、ここで作成する第１の解析結果１１１を作成する。ここでは、この第１の解析結果１１１を集合Ａと呼ぶ。
【００８０】
一方、図７に示すとおり、追加解析（ＳＴ１１ａ）は、追加解析モジュール４２ａにおいて、解析ルール２０３の、例えば、「ある特定会社の取扱商品名、型番Ｂ」を条件としてクライアント端末より受信した解析データ２０２を解析して、この「取扱商品名、型番Ｂ」を含む関連記事の検索結果を集合Ｂとする（ＳＴ１１ｂ）。
【００８１】
さらに、同じく解析ルール２０３にて設定された、例えば、解析対象とする記事５２ａ，５２ｂ，・・・に対して指定された「期間Ｃ」がある場合、この「期間Ｃ」に存在する記事５２ａ，５２ｂ，・・・全体を集合Ｃとして（ＳＴ１１ｃ）、以上の集合Ａ，Ｂ，Ｃについて、それぞれ古いほうから時系列にソートして、例えば、週単位に分割し、それぞれの分割集合をｉ番目の集合Ａ（ｉ），Ｂ（ｉ），Ｃ（ｉ）とする（ＳＴ１１ｄ）。
【００８２】
次に、各ｉについて、集合Ｃ（ｉ）に含まれる記事数に対する集合Ａ（ｉ）に含まれる記事数の割合を記事の出現率ｋａ（ｉ）とし、同様にして、集合Ｃ（ｉ）に含まれる記事数に対する集合Ｂ（ｉ）に含まれる記事数の割合を記事の出現率ｋｂ（ｉ）とする（ＳＴ１１ｅ）。
【００８３】
続いて、各ｉについて、集合Ｃ（ｉ）に含まれるユニークなユーザ数に対する集合Ａ（ｉ）に含まれるユニークなユーザ数の割合をユーザの参加数ｕａ（ｉ）とし、同様にして、集合Ｃ（ｉ）に含まれるユニークなユーザ数に対する集合Ｂ（ｉ）に含まれるユニークなユーザ数の割合をユーザの参加数ｕｂ（ｉ）とする（ＳＴ１１ｆ）。
【００８４】
その後、第２の解析結果２１１として、各週を表すｉをｘ軸とし、記事５２ａ，５２ｂ，・・・の出現率を表すｋａ（ｉ），ｋｂ（ｉ）をｙ軸とするグラフＧ１と、各週を表すｉをｘ軸とし、ユーザの参加率を表すｕａ（ｉ），ｕｂ（ｉ）をｙ軸とするグラフＧ２とを作成して（ＳＴ１１ｇ）、追加解析（ＳＴ１１ａ）を終了する。
【００８５】
なお、解析サーバ４ａは、クライアント端末２から第２の解析条件２０１が設定されたときに、第２の解析条件２０１中に含まれた解析ルール２０３を用いた追加解析（ＳＴ１１ａ）を行うための解析所要時間ｈを計測して保持し、続いて、クライアント端末２に第２の解析結果２１１を通知する際に、第２の解析結果２１１を構成する解析結果データ量ｋを計測して保持して、クライアント端末２に、解析所要時間ｈと解析結果データ量ｋとに基づき代行料金を計算して通知する（ＳＴ１１ｈ）ようにしてもよい。
【００８６】
ここで、例えば、代行料金単価ｂが予め設定された場合には、ｈ×ｋ×ｂ等の計算式により代行料金を計算して（ＳＴ１１ｈ）、解析条件を設定したクライアント端末２に対して、例えば、第２の解析結果２１１を送信前に又は同時に代行料金を通知するようにしても構わず、解析所要時間ｈは、追加解析（ＳＴ１１ａ）のみならず、情報解析（ＳＴ７ａ）においても同様に計測して代行料金として計算するようにしても構わない。
【００８７】
（プログラム例）
最後に、ネットワークＮを介してコンテンツ５１ａ，５１ｂ，・・・を公開する１以上のＷｅｂサーバ１ａ，１ｂ，・・・にアクセスしコンテンツ５１ａ，５１ｂ，・・・を収集してコンテンツ５１ａ，５１ｂ，・・・に含まれる記事５２ａ，５２ｂ，・・・を抽出蓄積する収集サーバ３ａと、クライアント端末２から設定された解析条件に基づいて収集サーバ３ａにて蓄積する記事５２ａ，５２ｂ，・・・から解析を行い、この解析の解析結果をクライアント端末２に返信する解析サーバ４ａとに備わるコンピュータに導入して実行される情報収集解析代行処理プログラムの例を説明する。
【００８８】
まず、収集サーバ３ａの情報収集モジュール３１ａに、ネットワークＮを介して接続されたＷｅｂサーバ１ａ，１ｂ，・・・に対してコンテンツ５１ａ，５１ｂ，・・・の取得要求を通知する処理手順と、折り返しＷｅｂサーバ３ａからコンテンツ５１ａ，５１ｂ，・・・を取得する処理手順と、コンテンツ５１ａ，５１ｂ，・・・から記事５２ａ，５２ｂ，・・・を抽出して収集蓄積する処理手順とを順次実行させて行く。
【００８９】
一方、解析サーバ４ａにおいて、予め、クライアント端末２から第１の解析条件１０１と第２の解析条件２０１とを設定される処理手順を実行させて、その後、収集サーバ３ａにて蓄積する記事５２ａ，５２ｂ，・・・に対して、第１の解析条件１０１に基づき第１の解析結果１１１を作成する情報解析処理手順と、記事５２ａ，５２ｂ，・・・と第１の解析結果１１１とに対して、第２の解析条件２０１に基づき第２の解析結果２１１を作成する追加解析処理手順と、第２の解析結果２１１をクライアント端末２に通知する処理手順とを順次実行させる。
【００９０】
ここで、第２の解析条件２０１を設定される処理手順は、クライアント端末２から、第２の解析条件２０１として、クライアント端末２が保持する解析データ２０２と、クライアント端末２により作成された解析ルール２０３とを受信する処理手順を実行させ、追加解析処理手順は、記事５２ａ，５２ｂ，・・・と第１の解析結果１１１に対して、解析データ２０２を加えた追加解析を行う処理手順を実行させても構わない。
【００９１】
また、第２の解析結果２１１をクライアント端末２に通知する処理手順は、予め、クライアント端末２ごとに、クライアント端末２を一意に特定するためのクライアントＩＤ２１を付与する処理手順と、クライアントＩＤ２１にて特定されるクライアント端末２に対して、クライアント端末２により設定された第１の解析条件１０１と第２の解析条件２０１とをクライアントＩＤ２１に基づき対応させた情報解析処理手順と追加解析処理手順とを順次実行させて、追加解析処理手順により作成した第２の解析結果２１１を、クライアントＩＤ２１にて特定されるクライアント端末２に通知する処理手順を実行させるようにするとよい。
【００９２】
さらに、第１の解析条件１０１と第２の解析条件２０１とを設定される処理手順は、第１の解析条件１０１が設定される処理手順の後に、収集サーバ３ａに対して記事５２ａ，５２ｂ，・・・の取得要求を行う処理手順と、折り返し収集サーバ３ａから記事５２ａ，５２ｂ，・・・を受信する処理手順を順次実行させて、一方、第２の解析条件２０１が設定される処理手順の後には、再度、収集サーバ３ａに対して記事５２ａ，５２ｂ，・・・の取得要求を行う処理手順を実行させて、折り返し収集サーバ３ａから記事５２ａ，５２ｂ，・・・を受信する処理手順を順次実行させるようにするとよい。
【００９３】
ここで、情報解析処理手順と追加解析処理手順は、収集サーバ３ａに収集蓄積された記事５２ａ，５２ｂ，・・・に対して、記事５２ａ，５２ｂ，・・・の記事内容、公開日時、発信者のうちの１以上を用いた解析処理手順を実行させるとよい。
【００９４】
さらに、追加解析処理手順は、まず、クライアント端末２から第２の解析条件２０１を設定される処理手順と、次いで、第２の解析条件２０１中に含まれた解析ルール２０３を用いた追加解析処理を実行させる解析所要時間ｈを計測して保持する処理手順と、引続き、クライアント端末２に第２の解析結果２１１を通知する処理手順における、第２の解析結果２１１を構成する解析結果データ量ｋを計測して保持する処理手順と、さらに、クライアント端末２に、解析所要時間ｈと解析結果データ量ｋとに基づき代行料金を計算して通知する処理手順とを順次実行させても構わない。
【００９５】
以上、本発明の実施形態につき、その装置例及びこれに対応する方法例並びにプログラム例を挙げて説明したが、本発明は、必ずしも上述した手段及び手法並びに手順にのみ限定されるものではなく、前述の効果を有する範囲内において、適宜、変更実施することが可能なものである。
【図面の簡単な説明】
【００９６】
【図１】本発明の装置例に係る情報収集解析代行システム装置の構築をその適用形態と共に示す図である。
【図２】図１に示した情報収集解析代行システム装置に適用されるデータ例を示す図である。
【図３】図２に示したコンテンツを説明するための図である。
【図４】本発明の方法例に係る情報収集解析代行方法における記事の収集を説明するためのシーケンス図である。
【図５】本発明の方法例に係る情報収集解析代行方法における情報解析及び追加解析を説明するためのシーケンス図である。
【図６】図５に示した情報解析を説明するための一実施形態例である。
【図７】図５に示した追加解析を説明するための一実施形態例である。
【図８】従来の情報収集解析代行サービスに適用される情報収集解析代行システム装置の構築図である。
【図９】図８に示した従来の情報収集解析代行システム装置の一動作例を説明するためのシーケンス図である。
【符号の説明】
【００９７】
α，β…情報収集解析代行システム装置
Ｎ…ネットワーク
１ａ，１ｂ…Ｗｅｂサーバ
２…クライアント端末
２１…クライアントＩＤ
３，３ａ…収集サーバ
３１，３１ａ…情報収集モジュール
４，４ａ…解析サーバ
４１，４１ａ…情報解析モジュール
４２ａ…追加解析モジュール
５１ａ，５１ｂ…コンテンツ
５２ａ，５２ｂ，５２ｃ…記事
５２１…記事内容
５２２…公開日時
５２３…発言者を識別する文字列
１０１…第１の解析条件
１１１…第１の解析結果
２０１…第２の解析条件
２０２…解析データ
２０３…解析ルール
２１１…第２の解析結果
【図１】
2005038341.tif 000003
【図２】
2005038341.tif 000004
【図３】
2005038341.tif 000005
【図４】
2005038341.tif 000006
【図５】
2005038341.tif 000007
【図６】
2005038341.tif 000008
【図７】
2005038341.tif 000009
【図８】
2005038341.tif 000010
【図９】
2005038341.tif 000011